(57)【要約】  本発明は、携帯機器（３）から無線プロジェクタ（１）上にプレゼンテーションを供給する方法に関する。もし、携帯機器（３）が会社の内部ネットワーク（６）へのアクセスを有するなら、無線通信接続は、このネットワーク（６）を介してプロジェクタ（１）へ形成され、それ故、アクセスをそこに存するデータを得られるようにすることができる。一方、もし、携帯機器（３）がネットワーク（６）へのアクセスを有さない訪問者に帰属すれば、ネットワーク（６）が必要とされることなく、アドホック接続のみが、装置（３）とプロジェクタ（１）との間に構築される。
2007519271.tif 000002
【特許請求の範囲】
【請求項１】
プレゼンテーションを供給するためのシステムであって、
ａ）無線通信インタフェイスを有する画像表示装置と、
ｂ）無線通信インタフェイスを有する携帯機器と、を備え、
前記画像表示装置および前記携帯機器は、
ｃ）トリガイベントに応じてアドホック無線接続を構築し、
ｄ）ネットワークが双方にアクセス可能である場合には、このネットワークにさらなる通信を伝達し、
ｅ）前記画像表示装置上で前記携帯機器により制御されたプレゼンテーションを表示する、
ように構成されていることを特徴とするシステム。
【請求項２】
前記画像表示装置は、プロジェクタであることを特徴とする請求項１に記載のシステム。
【請求項３】
前記トリガイベントはデータキャリアへの前記携帯機器の結合であり、好ましくはこのデータキャリアがアドホック接続のために要求された通信パラメータを含む
ことを特徴とする請求項１または２に記載のシステム。
【請求項４】
前記画像表示装置と携帯機器との間の接続は、前記トリガイベントは前記データキャリアへの前記携帯機器の前記結合が遮られたとき、終了される
ことを特徴とする請求項３に記載のシステム。
【請求項５】
前記データキャリアは、挿入可能なカードまたはＣＤ−ＲＯＭであることを特徴とする請求項３または４に記載のシステム。
【請求項６】
前記画像表示装置は、この画像表示装置にアクセス可能なネットワーク上の情報源への制御されたアクセスを携帯機器に提供し、そして、特に、ネットワークに接続されたプリンタへの制御されたアクセスを携帯機器に提供する
ことを特徴とする請求項１ないし５の何れかに記載のシステム。
【請求項７】
プレゼンテーションを供給する方法であって、
ａ）携帯機器と画像表示装置との間のアドホック無線接続を構築し、
ｂ）共通のネットワークが前記携帯機器と前記画像表示装置とにアクセス可能か否かを確認するとともに、もし要求されば前記ネットワークを介した接続への通信を変更し、
ｃ）前記携帯機器により前記画像表示装置上のプレゼンテーションを制御する
ことを特徴とする方法。
【請求項８】
前記確認において、前記携帯機器がすでに共通のネットワークへの接続を有するか否かが確証されている
ことを特徴とする請求項７に記載の方法。
【請求項９】
もしプレゼンテーションに使用されていなければ、前記画像表示装置はアドホック接続をすぐに構築できるモードになる
ことを特徴とする請求項７または８に記載の方法。
【請求項１０】
情報が前記携帯機器からアドホック接続を介して前記画像表示装置に送信され、そして、前記画像表示装置によるさらなる処理のため、特にプリントアウトするため、ネットワークに伝達される
ことを特徴とする請求項７ないし９の何れかにに記載の方法。
【発明の詳細な説明】
【技術分野】
【０００１】
本発明は、携帯機器から画像表示装置にプレゼンテーション（presentation）を供給するためのシステムおよび方法に関する。
【背景技術】
【０００２】
対談、製品のデモ等のため、コンピュータを用いて連続する画像が生成されるとともに表示されるプレゼンテーションの使用がさらに増加している。これに関係して、プレゼンテーションのためのデータが、様々な携帯機器から非常に多くの観衆にデータを示すことを可能にするよう適切に設定されたコンピュータに無線で送信されることがＵＳ20030017846 A1から公知である。
【０００３】
しかしながら、実際にしばしば起こることは、含まれるデバイスの結合に関する限り、異なる方法で扱われなければならない２つ型の状態である、ことがわかっている。このようにして、プレゼンテーションが、会社の内部のような、参加者の閉じられたグループに供給されるとき、例えば、プレゼンテーションのための画像を呼び出すことができるように、例えば、プロジェクタを操作する携帯機器に対して内部のコンピュータネットワーク（会社に帰属する）で得られる情報源およびデータにもアクセスさせる、ことが望ましい。一方、もし、外部からの訪問者（visitor）がプロジェクタでプレゼンテーションを行うことを望めば、データ保護に関する理由で、訪問者は内部ネットワークにアクセスすることを許可されない。
【発明の開示】
【発明が解決しようとする課題】
【０００４】
この背景技術に反して、内部ユーザと外部からのユーザとの両方が無線通信インタフェイス（wireless communication interface）を有するプロジェクタの最適な使用を構築することができる、プレゼンテーションを供給するための方法を提供することが本発明の目的である。
【０００５】
この目的は、請求項１で記述された特徴を有するシステムにより、そして、請求項７で記述された特徴を有する方法により達成される。有利な実施例は、従属形式の請求項で詳述される。
【０００６】
本発明に従うこのシステムは、プレゼンテーションを供給するために使用され、ここと以下の両方で、”プレゼンテーション”が一連の連続する画像を意味すると理解される。このシステムは以下の特徴を有する。
ａ）  それは、経由して無線通信が実行されることができ、そして、以下で”無線通信インタフェイス”と称される、インタフェイスを有する画像表示装置を含む。この画像表示装置は、特に、デジタル化形式で得られる画像の内容を映写面に光学的に投影されることができるプロジェクタであり得る。この画像表示装置の制御と供給されるべきプレゼンテーションの送信は、好ましくは、該インタフェイスを経由して無線で実行される。
ｂ）  このシステムは、特に、画像表示装置の無線通信インタフェイスに互換性があることを目的とする”無線通信インタフェイス”を有する（少なくとも）１つの携帯機器を備える。この携帯機器は、例えば、ラップトップ型コンピュータ、ＰＤＡ（personal digital assistant）、または、適当に設定された携帯電話等のような、小型コンピュータであってもよい。
【０００７】
この画像表示装置および携帯機器は、さらに、以下の特徴を有するように構成されている。
ｃ）  トリガイベント（triggering event）に応じて、アドホック（ad-hoc）無線接続が携帯機器と画像表示装置との間で構築され、このトリガイベントは好ましくは携帯機器において実行され、そこで該接続の構築を開始する。この場合のアドホック接続により意味されるのは、通常、２つの関係する装置の間で直接的に実行され、そして、他のいかなるコンポーネントまたは参加者を、要求せずもしくは包含しない、通信接続である。
ｄ）いったん既述のアドホック接続が構築されると、もし、ネットワークがあるとともに、両装置（つまり、携帯機器および画像表示装置）にアクセス可能であれば、さらなる通信はネットワークを経由して携帯端末機器と画像表示装置との間で伝達される。もし、これらの条件が満たされなければ、２つの装置間の通信はアドホック接続を介して実行されることにより継続する。
ｅ）携帯機器により制御されるプレゼンテーションは画像表示装置により表示される。既述のステップｄ）の結果に従って、プレゼンテーションのための制御およびプレゼンテーションのためのデータの送信は、アドホック接続または両装置にアクセス可能であるネットワークの何れかを経由して、実行される。
【０００８】
これまで説明されたこのシステムは、携帯機器と画像表示装置との間の通信を条件に適応する最適な方式に設定する利点を有する。対談は、例えば、会社の組織内のような、ユーザの閉じられたグループに供給され、通信をこの会社が有する内部ネットワークを介して実施し、それ故、ネットワークの情報源が使用されることを可能にする。一方、もし、特に携帯機器のような、装置の１つがそのようなネットワークへのアクセスを有さなければ、そこで、アドホック接続を介して通信が実施される。
【０００９】
訪問者は一般的に会社の内部ネットワークにアクセスすることを許容されていないので、アドホック接続は、特に会社への訪問者によるプレゼンテーションの供給に対し非常に有用である。
【００１０】
ｃ）の特徴の下、アドホック無線接続の構築を開始するトリガイベントは、特に、好ましくはアドホック接続に要求される通信パラメータ（communications parameters）を含むデータキャリア（data carrier）への携帯機器の結合であってもよい。このデータキャリアは、例えば、ラップトップ型コンピュータのような携帯機器の標準的なカードスロット対して、例えば挿入可能なカードであってもよい。データキャリアは、通信パラメータは勿論であるが、画像表示装置を制御しそしてプレゼンテーションを処理するために要求されるソフトウェアをもまた含んでもよい。この種のデータキャリアの使用は、特に、もし訪問者の携帯機器が既存の画像表示装置に結合される、つまり、要求された通信パラメータが、一般的に、この携帯機器で予め知られていないものであれば、有利である。
【００１１】
既述の実施例の変形例において、画像表示装置と携帯機器との間の接続は、もし携帯機器とデータキャリアとの間の結合が遮られれば、終了に至らされる。例えば、もし、適当な挿入可能なカードが訪問者の携帯機器から取り外されれば、これは、一般的に、画像表示装置を使用する訪問者の権利を終了させ、関連する接続がそれ故切断されなければならない。
【００１２】
システムの他の変形例において、画像表示装置は、この画像表示装置がアクセスするネットワークの情報源への制御されたアクセスを携帯機器に提供するように構成されている。このように、訪問者の携帯機器から画像表示装置に送信されるプレゼンテーションの画像は、会社の内部ネットワークに接続されたプリンタでプリントアウトされてもよく、携帯機器が会社の内部ネットワークに全部関連づけることがこの目的に必要ではない。
【００１３】
本発明はまた以下のステップを備えるプレゼンテーションを供給する方法に関する。
ａ）  携帯機器と画像表示装置との間のアドホック無線接続を構築するステップ。
ｂ）  共通のネットワークが携帯機器と画像表示装置とにアクセス可能か否かを確認し、この場合であれば、携帯機器と画像表示装置との間の通信がネットワークを介した接続動作に切り替えられるステップ。そうでなければ、ステップａ）で設定されたアドホック接続が使用され続ける。
ｃ）  携帯機器により画像表示装置上のプレゼンテーションの制御ステップ。
【００１４】
概略すると、この方法は、既述の種類のシステムで実行されることができるステップを実行する。この方法のより詳細の説明のために、それ故、前の既述が参照されるとともに、図面の記述が参照されるべきである。
【００１５】
方法の好ましい実施例において、共通のネットワークが携帯機器と画像表示装置とにアクセス可能であるか否かを調べるために確認がなされたときに確証されるのは、携帯機器がすでに共通のネットワークへの接続を有するか否かである。この後者は、例えば、画像表示装置もまた接続された会社の内部ネットワークに接続された携帯機器に関する事例である。
【００１６】
もし、その時点で、プレゼンテーションに利用されていなければ、画像表示装置は、好ましくは、アドホック接続をすぐに構築できるモードになる。このようにして、画像表示装置が構築されるべきアドホック接続についての携帯機器からの調査照会（search enquiry）にいつでも応答することができることは保証される。
【００１７】
方法の他の実施例において、情報は、アドホック接続を介して携帯端末機器から画像表示装置に送信され、そして、そこで、画像表示装置によるさらなる処理のためにネットワークに伝達される。このさらなる処理は、特に、この場合における該情報のプリントアウトを含む。このようにして、ユーザが会社の内部ネットワークのある情報源への厳重に制限されたアクセスを許容されることを可能にする。
【００１８】
本発明のそれらのおよび他の外観は、以下に記述される実施例を参照して、明確に理解され説明されるだろう。
【発明を実施するための最良の形態】
【００１９】
様々な図面は、本発明に従うシステムの概略図であり、同じ参照符合は、すべての図面において同じ構成要素に用いられている。このシステムは、特に、映写面にデジタル画像を表示するためのプロジェクタ１を備えており、このプロジェクタは無線通信インタフェイス２を有する。このシステムはまた、例えば、同様に無線通信インタフェイス４を有するラップトップ型コンピュータ３のような携帯機器を備えている。また図に示されるのは、会社の内部ネットワーク６であり、この会社の内部ネットワーク６の構成要素８、９は、１つまたは複数のベースステーション（base station）７を経由して、認可された装置により同様に無線でアドレス指定されることができる。
【００２０】
この無線通信インタフェイス２、４は、例えば、インフラストラクチャモード（infrastructure mode）またはアドホックモード（ad-hoc mode）の何れかで動作することができるように構成されている、ＩＥＥＥ標準８０２．１１のネットワークカードの方式を採る。インフラストラクチャモードにおいて、無線端末装置は他の端末装置とベースステーションを経由して通信する、すなわち、携帯機器３が、例えば、ベースステーション７を経由してネットワーク６上のコンピュータ８と通信する。アドホックモード（非インフラストラクチャ従属モード（non- infrastructure-dependent mode）とも称される）において、無線端末装置は相互に直接、すなわち、ベースステーションの援助無しに、通信することができる。インフラストラクチャ基盤（infrastructure based）またはアドホックネットワークの構成要素であることができるべき装置のために、適当なモードで動作されなければならず、そして、ネットワークの名前（ＳＳＩＤ）およびこのネットワークに対する暗号化情報（ＷＥＰキー）を認識しなければならない。もし、装置がＩＰプロトコル(IP protocol)の使用により他の装置と通信することを要請すれば、そのＩＰスタック（IP stuck）もまた適切なＩＰアドレス(IP address)およびサブネットマスク(subnet mask)から構成されなければならない。
【００２１】
プロジェクタ１は、ユーザがユーザのラップトップ型コンピュータを使用することにより無線でプレゼンテーションを供給することを可能にする。この目的のために、プロジェクタ１は、制御ソフトウェアおよびプログラムのような、例えば、プレゼンテーションデータ（PowerPoint（登録商標）ファイル）を表示するための”PowerPoint Viewer”（登録商標）を有する。ラップトップ型コンピュータ３にもまた存在するのは、ユーザが表示されるべきプレゼンテーションを選択することができ、そしてプレゼンテーションの進行を制御することができる、制御ソフトウェアおよびプログラムである。
【００２２】
無線プロジェクタ１は、会社の従業員と会社への訪問者との両方により、使用されることができるべきであると有利である。従業員のラップトップ型コンピュータは、この場合、それらがベースステーションインタフェイスを経由して会社ネットワーク６に無線で接続されるような方法で、典型的に設定される。一方、訪問者は、適切に設定されたラップトップ型コンピュータを有さず、そして、それ故、該訪問者が来客となる会社ネットワーク６にアクセスすることができない（そして、すべきでない）。それらの２つの異なる状態は、それ故、無線プロジェクタ１の設定に対して異なる要求を引き起こす。
−会社の従業員にとっては、従業員のラップトップ型コンピュータ３とプロジェクタ１との両方が無線、インフラストラクチャ基盤の会社ネットワーク６の構成要素であることが望ましい。従業員のラップトップ型コンピュータ３により、従業員は、そこで、会社ネットワーク６を介して接続されることができるコンピュータ８に記憶されたすべてのプレゼンテーションにアクセスすることができるとともに、同時に、プロジェクタ１を制御することができる。
−しかしながら、訪問者にプロジェクタを使用するのをも許容するため、プロジェクタは、単に部外者がアクセスできない会社ネットワーク６を経由するだけでなく接続される能力がなければならない。
【００２３】
また、訪問者と従業員との両方は、プロジェクタ１の名前（つまり、ＩＰアドレス）を認識していなければならない問題に直面し、それは非常に多くのプロジェクタを有するかなり大きい会社における特定の問題であるかも知れない。
【００２４】
記述された要求をもっとも十分な方法で対処することを可能にするため、以下に記述された構成は、プレゼンテーションのためのシステムおよび方法を提案する。そこでは、２つの異なる設定またはモード、すなわち、アドホックモードおよびインフラストラクチャモードにおいて、プロジェクタ１は望まれたように動作される能力を有する。モードは、この場合のパラメータを定め、そして、それらは、以下のアドホックモードに対する表を例示の方法で与える。
【表１】
2007519271.tif 000003
【００２５】
スイッチオンされているとき、プロジェクタ１はアドホックモードである。プロジェクタ１がこの場合でネットワーク名（ＳＳＩＤ）として使用するのは、会社の間で明白な識別名である。この方法で達成されるのは、同じ名前を有する他の無線ネットワーク（アドホックまたはインフラストラクチャ基盤の何れか）がない場合である。選択として、無線ネットワーク上の暗号化は、結合されたＷＥＰキーでなされることができる。ＩＰｖ４アドレスとして、すべてのプロジェクタは、プライベートアドレス（例えば、１９２．１６８．１．１）に加えて関連するサブネットマスク（２５５．２５５．０．０）が割り当てられる。ＩＰｖ６の場合、使用されるのは、無線アダプタ（wireless adapter）の固有ＭＡＣアドレスから形成されたリンクローカルアドレス（link local address）である。プロジェクタ１は、最初は、それが構築された無線ネットワークの単一の構成要素である。
【００２６】
各々のプロジェクタ１に関係するのは、プレゼンテーションを表示するために要求されるソフトウェアおよびプロジェクタ１に接続するために要求されるアドホックモード（表１に見られる）のための設定データが記憶された、挿入可能なカード５である。この挿入可能なカード５は、ＵＳＢまたはＰＣ−カード標準に適合するインタフェイスのような、ラップトップ型コンピュータに典型的に存在する種類の標準インタフェイスを有する。挿入可能なカードよりもむしろ、ユーザがこのユーザのラップトップ型コンピュータのＣＤ−ＲＯＭドライブに挿入しなければならない、適当な構成要素を含むＣＤ−ＲＯＭもまた使用されることができる。携帯データキャリアの他のタイプは、勿論、この目的のために、等しく適当である。データキャリアとして単に動作する挿入可能なカード５よりもむしろ、また使用されるのは、記憶機能もまた実行されるとともに、経由してラップトップ型コンピュータ３がプロジェクタ１と無線で通信可能である無線カード（ＷＬＡＮカード）である。
【００２７】
ユーザが挿入可能なカード５または類似のデータキャリアを、ユーザのラップトップ型コンピュータ３（図２および図８）に挿入するとすぐに、カードに記憶された制御ソフトウェアが自動的にラップトップ型コンピュータ３の作業メモリにロードされ、そして、そこで、起動される。これが起きたとき、この制御ソフトウェアは、最初に  無線カード４の現在の設定と、特に、モード、ネットワーク名（ＳＳＩＤ）、ＩＰアドレス、および、サブネットマスクと、を構築し、そして、それらのパラメータを記憶する。これらのパラメータの値は、例えば、表２に示されたものであり得る。
【表２】
2007519271.tif 000004
【００２８】
前に説明されたステップは、訪問者のラップトップ型コンピュータ３に対する図１および図２に示されるとともに、会社従業者のラップトップ型コンピュータ３に対する図７および図８に示される。特に、この場合の状態の相違は、会社従業員のラップトップ型コンピュータ３（図７および図８）が会社ネットワーク６のベースステーション７を経由して会社ネットワーク６への無線接続を有することである。先の名付けられた形態、すなわち、インフラストラクチャモードにおける動作、および、ベースステーションへの接続、は、挿入可能なカード５がラップトップ型コンピュータ３に挿入された後に、確認される。もし、ネットワーク６への接続が存在すれば、拘わるのは、確かに、従業員のラップトップ型コンピュータ３である。そうでなれば、訪問者のラップトップ型コンピュータ３であることが想定される。
【００２９】
両方の場合において、制御ソフトウェアは、挿入可能なカード５に記憶された設定データに合わせて無線カード４を再設定し（表１）、そして、アドホックモードに無線カード４を設定する。プライベートアドレス（例えば、１９２．１６８．１．２）は、ＩＰアドレスとして選択されるとともに、使用されるサブネットマスクは、２５５．２５５．０．０である。選択されたプライベートアドレスを決定する唯一の条件は、挿入可能なカード５に記憶されたプロジェクタ１のアドレスと異ならなければならないことである。ＩＰｖ６の場合において、使用されるのは、無線アダプタの固有ＭＡＣアドレスから形成されたリンクローカルアドレスである。ラップトップ型コンピュータ３およびプロジェクタ１は、そこで、アドホックネットワークを構築し（各々の場合の図３および図９）、互いにアドホックネットワークを介して通信することができる。
【００３０】
このプロセスの継続は、最初に説明されたラップトップ型コンピュータ３が訪問者に帰属する場合（図１から図６）である。もし、制御ソフトウェアがこの条件が適用される設定をしていれば、前に説明したように、挿入可能なカード５に記憶されたプレゼンテーションを再生するためのソフトウェアが起動される。この場合において、訪問者はラップトップ型コンピュータ３に記憶されたプレゼンテーションを選択することができ、そして、それらは、それ故、アドホック接続を介してプロジェクタ１に送信されることができ、このプロジェクタ１により表示される。この訪問者は、例えば、”Forward”および”Back”キー（図４）で、プレゼンテーションの進行を制御することができる。もし、挿入可能なカード５がラップトップ型コンピュータ３から引き抜かれたら（図５）、または、もし、プレゼンテーションプログラムが訪問者により終了させられたら、制御ソフトウェアはこれのプロジェクタ１に通知し、無線カード４をそれの元の用意された設定に戻す。このラップトップ型コンピュータ３は、それ故、再び元の状態になる。プロジェクタ１はユーザがラップトップ型コンピュータ３から挿入可能なカード５を引き抜いた通知を受けるとすぐに、プレゼンテーションの再生を停止するとともに、アドホックモードに留まる（図５および図６）。
【００３１】
もしユーザがプレゼンテーションプログラムを終了させ、しかし挿入可能なカード５がまだ引き抜かれていなければ、ユーザは、ラップトップ型コンピュータ３のディスプレイ上と映写されたものの経由との両方で、挿入可能なカード５を引き抜くように指示される。
【００３２】
最後に、ラップトップ型コンピュータとプロジェクタ１との両方は、それらの各々の元の状態に戻る（図６が図１に適合する）。
【００３３】
ラップトップ型コンピュータ３が会社の従業員に帰属する装置であるとき、方法が図７から図１４に示させるように実施される。説明したように構築されたアドホックネットワークを介して、制御ソフトウェアは、プロジェクタ１に最初に会社ネットワークの構成要素になるように指示する。この指示が応じられるために、プロジェクタ１の制御ソフトウェアは、プロジェクタ１の無線カード２をインフラストラクチャモードに設定し、そして、それに応じて、ネットワークパラメータを設定する。この目的のために必要な、ネットワーク名、ＷＥＰキー、ＩＰアドレス、および、同等のもののようなパラメータが、例えば、予め入力され、そして、管理者（administrator）によりプロジェクタ１に記憶される。インフラストラクチャモードに対するプロジェクタの設定は、表３に示され得る。
【表３】
2007519271.tif 000005
【００３４】
ラップトップ型コンピュータ３の制御ソフトウェアは、そこで、ラップトップ型コンピュータ３が会社ネットワーク６の構成要素に再びなるように、ラップトップ型コンピュータの無線カード４をそれの元の設定（表２）に戻す。図１１に示すように、ラップトップ型コンピュータ３およびプロジェクタ１は、そこで、ベースステーション７を経由（または、異なるベースステーションを経由）して会社ネットワーク６に接続され、そして、それに伴って、会社ネットワーク６へ通信することができる。
【００３５】
図１２に示すように、ラップトップ型コンピュータ３の制御ソフトウェアは、そこで、プレゼンテーションを再生するために挿入可能なカード５に記憶されたソフトウェアを起動する。ユーザは、この場合、ユーザのラップトップ型コンピュータ３に記憶されたプレゼンテーション、または、が会社ネットワーク６を介して接続される異なるコンピュータ８に記憶されたプレゼンテーションを選択することができるとともに、それらがプロジェクタ１へ送信させることができ、そして、そこで表示される。
【００３６】
もし、挿入可能なカード５がラップトップ型コンピュータ３から引き抜かれ、または、プレゼンテーションプログラムがユーザにより終了されれば、ラップトップ型コンピュータ３の制御ソフトウェアは、これのプロジェクタ１に指示する。ラップトップ型コンピュータ３は、インフラストラクチャモードに留まり、そして、それ故、会社ネットワーク６の構成要素に留まる。プロジェクタ１はユーザがラップトップ型コンピュータ３から挿入可能なカード５を引き抜いたことを通知されるとすぐに、プレゼンテーションの再生を停止するとともに、アドホックモード（表１）に対して無線カード５を再設定する（図１３および図１４）。
【００３７】
もしユーザがプレゼンテーションプログラムを終了させ、しかし挿入可能なカード５がまだ引き抜かれていなければ、ユーザは、ラップトップ型コンピュータ３のディスプレイ上と映写されたものの経由との両方で、挿入可能なカード５を引き抜くように指示される。
【００３８】
この方法の最後に、ラップトップ型コンピュータとプロジェクタ１との両方は、それらの各々の元の状態に戻る（図１４が図７に適合する）。
【００３９】
さらなる機能として、プロジェクタ１が訪問者に、会社ネットワークを介してアクセス可能なプリンタ９でプレゼンテーションをプリントアウトの可能性を提供してもよい。この目的のために要求される手順は、図１５および図１６に概略的に示される。ラップトップ型コンピュータ３は、最初、プロジェクタ１に、同時に表示されるプレゼンテーションをプリントアウトすることを指示する。このプレゼンテーションは、ラップトップ型コンピュータ３からプロジェクタ１に送信される（もし、これがすでに行われていなければ）（図１５）。
【００４０】
プロジェクタ１は、そこで、インフラストラクチャモードになり、そして、インフラストラクチャモード（表３）に要求される設定をする。プロジェクタは、それにより、会社ネットワーク６に接続され、そして、最も近いプリンタ９にプレゼンテーションを伝達することができる（図１６）。使用されるべきプリンタは、プロジェクタ１がセットアップされるときに、管理レベルにのみ、一旦置かれなければならない。
【００４１】
プロジェクタは、それ故、アドホックモードに戻り、結果として、ラップトップ型コンピュータ３とプロジェクタ１とは再び互いに接続される（図１５に見られる）。
【００４２】
前に説明されたシステムは、従って、以下の利点を提供する。
−無線プロジェクタ１は、訪問者と従業員との両方により、使用されることができる。
−無線プロジェクタは、アドホックモードにおけるものとインフラストラクチャモードにおけるものとの、２つのネットワークアダプタを有することができ、しかし、それは単一の無線アダプタのみを要求する。
−従業員は、会社ネットワーク６を介してアクセス可能な幾つかのプレゼンテーションを表示することができる。
−訪問者は、会社ネットワーク６への幾つかのアクセスを、必要とせず、そして、与えられない。
−訪問者は、プロジェクタ１を経由して訪問者のプレゼンテーションをプリントすることもできる。
【００４３】
すべての設定データおよびプログラムは、挿入可能なカード５にあり、プロジェクタ１を使用するために、ユーザは、単に、ユーザのラップトップ型コンピュータ３に挿入可能なカード５を挿入しなければならい。ユーザによるマニュアルの設定または指示は必要がない。
【図面の簡単な説明】
【００４４】
【図１】訪問者のラップトップ型コンピュータから会社へのプロジェクタによるプレゼンテーションの供給の異なった形態を示す図である。
【図２】訪問者のラップトップ型コンピュータから会社へのプロジェクタによるプレゼンテーションの供給の異なった形態を示す図である。
【図３】訪問者のラップトップ型コンピュータから会社へのプロジェクタによるプレゼンテーションの供給の異なった形態を示す図である。
【図４】訪問者のラップトップ型コンピュータから会社へのプロジェクタによるプレゼンテーションの供給の異なった形態を示す図である。
【図５】訪問者のラップトップ型コンピュータから会社へのプロジェクタによるプレゼンテーションの供給の異なった形態を示す図である。
【図６】訪問者のラップトップ型コンピュータから会社へのプロジェクタによるプレゼンテーションの供給の異なった形態を示す図である。
【図７】会社の内部ネットワークを介したプロジェクタによるプレゼンテーションの供給の異なった形態を示す図である。
【図８】会社の内部ネットワークを介したプロジェクタによるプレゼンテーションの供給の異なった形態を示す図である。
【図９】会社の内部ネットワークを介したプロジェクタによるプレゼンテーションの供給の異なった形態を示す図である。
【図１０】会社の内部ネットワークを介したプロジェクタによるプレゼンテーションの供給の異なった形態を示す図である。
【図１１】会社の内部ネットワークを介したプロジェクタによるプレゼンテーションの供給の異なった形態を示す図である。
【図１２】会社の内部ネットワークを介したプロジェクタによるプレゼンテーションの供給の異なった形態を示す図である。
【図１３】会社の内部ネットワークを介したプロジェクタによるプレゼンテーションの供給の異なった形態を示す図である。
【図１４】会社の内部ネットワークを介したプロジェクタによるプレゼンテーションの供給の異なった形態を示す図である。
【図１５】訪問者のラップトップ型コンピュータから会社への会社の内部プリンタの画像のプリントアウトを示す図である。
【図１６】訪問者のラップトップ型コンピュータから会社への会社の内部プリンタの画像のプリントアウトを示す図である。
【図１】
2007519271.tif 000006
【図２】
2007519271.tif 000007
【図３】
2007519271.tif 000008
【図４】
2007519271.tif 000009
【図５】
2007519271.tif 000010
【図６】
2007519271.tif 000011
【図７】
2007519271.tif 000012
【図８】
2007519271.tif 000013
【図９】
2007519271.tif 000014
【図１０】
2007519271.tif 000015
【図１１】
2007519271.tif 000016
【図１２】
2007519271.tif 000017
【図１３】
2007519271.tif 000018
【図１４】
2007519271.tif 000019
【図１５】
2007519271.tif 000020
【図１６】
2007519271.tif 000021
【国際調査報告】
2007519271.tif 000022
2007519271.tif 000023
2007519271.tif 000024